(57)【特許請求の範囲】
【請求項１】
サンプリングバルブであって、当該サンプリングバルブは、二つの外部部品（２１、２２）と、前記外部部品（２１、２２）の間にクランプされる一つの内部部品（２３）と、回転軸（Ａ）の周りの前記部品（２１、２２、２３）の相対角度位置を調節する手段（３）とを有し、前記内部部品（２３）は、前記外部部品（２１、２２）の隣接面（２１１、２２１）を、液密でありかつスライドする態様にて支持する対向面（２３１、２３２）を有し、前記外部部品（２１、２２）は、オリフィス（２１３）と、ループ（２１９、２２９）と、ダクト（２１８、２２８）とを有し、前記ループ（２１９、２２９）および前記ダクト（２１８、２２８）は、前記内部部品（２３）を通るオリフィス（２３３）と選択的に連通するように構成されており、
当該サンプリングバルブの特徴は、
前記部品（２１、２２、２３）のうちの二つ（２１、２２）が、前記部品（２１、２２、２３）のうちの固定された一つ（２３）に対して、前記回転軸（Ａ）の周りを回転することができることと、
前記外部部品（２１、２２）の前記オリフィス（２１３、２２３）、前記ループ（２１９、２２９）および前記ダクト（２１８、２２８）、ならびに前記内部部品（２３）を通る前記オリフィス（２３３）が、それらの相対角度位置を通して、
−  サンプル抽出状態（Ｅｐ）またはすすぎを行う状態（Ｅｒ）では、前記ループのいくつか（ｂ）が、前記内部部品（２３）の前記オリフィスのいくつか（２３ｏ１）および前記外部部品（２１、２２）の前記オリフィスのいくつか（２１ｏ１、２２ｏ１）により、少なくとも一つの入口ダクト（ｃｅ１）および少なくとも一つの出口ダクト（ｃｓ１）に接続され；かつ
−  少なくとも一つの分注状態（Ｅｄ）では、一連のループ（ｂ）が調整された容積のサンプリングループであり、かつ、それぞれが別々に、前記内部部品（２３）の前記オリフィスのいくつか（２３ｏ２）および前記外部部品（２１、２２）の前記オリフィスのいくつか（２１ｏ２、２２ｏ２）により、少なくとも一つの入口ダクト（ｃｅ２）および少なくとも一つの出口ダクト（ｃｓ２）に接続されるように構成されることと、
前記外部部品（２１、２２）の前記オリフィス（２１３、２２３）、前記ループ（２１９、２２９）および前記ダクト（２１８、２２８）、ならびに前記内部部品（２３）を通る前記オリフィス（２３３）が、二次的な分注状態（Ｅｄ２’）では、第二の一連（ｂ２’）の前記ループが、
調整された容積のサンプリングループであり、かつ、
それぞれが別々に、前記内部部品（２３）の前記オリフィスのいくつか（２３ｏ２ｂ’）および前記外部部品（２１、２２）の前記オリフィスのいくつか（２１ｏ２ｂ’、２２ｏ２ｂ’）により、少なくとも一つの入口ダクト（ｃｅ２ｂ’）および少なくとも一つの出口ダクト（ｃｓ２ｂ’）に接続されるように構成されることである、
前記サンプリングバルブ。
【請求項２】
サンプリングバルブであって、当該サンプリングバルブは、二つの外部部品（２１、２２）と、前記外部部品（２１、２２）の間にクランプされる一つの内部部品（２３）と、回転軸（Ａ）の周りの前記部品（２１、２２、２３）の相対角度位置を調節する手段（３）とを有し、前記内部部品（２３）は、前記外部部品（２１、２２）の隣接面（２１１、２２１）を、液密でありかつスライドする態様にて支持する対向面（２３１、２３２）を有し、前記外部部品（２１、２２）は、オリフィス（２１３）と、ループ（２１９、２２９）と、ダクト（２１８、２２８）とを有し、前記ループ（２１９、２２９）および前記ダクト（２１８、２２８）は、前記内部部品（２３）を通るオリフィス（２３３）と選択的に連通するように構成されており、
当該サンプリングバルブの特徴は、
前記部品（２１、２２、２３）のうちの二つ（２１、２２）が、前記部品（２１、２２、２３）のうちの固定された一つ（２３）に対して、前記回転軸（Ａ）の周りを回転することができることと、
前記外部部品（２１、２２）の前記オリフィス（２１３、２２３）、前記ループ（２１９、２２９）および前記ダクト（２１８、２２８）、ならびに前記内部部品（２３）を通る前記オリフィス（２３３）が、それらの相対角度位置を通して、
−  サンプル抽出状態（Ｅｐ）またはすすぎを行う状態（Ｅｒ）では、前記ループのいくつか（ｂ）が、前記内部部品（２３）の前記オリフィスのいくつか（２３ｏ１）および前記外部部品（２１、２２）の前記オリフィスのいくつか（２１ｏ１、２２ｏ１）により、少なくとも一つの入口ダクト（ｃｅ１）および少なくとも一つの出口ダクト（ｃｓ１）に接続され；かつ
−  一つの分注状態（Ｅｄ）では、前記内部部品（２３）の前記オリフィスの少なくとも一つ（２２ｏ３）が、調整された容積のサンプリングチャンバーであり、前記外部部品（２１、２２）のオリフィス（２１ｏ３、２２ｏ３）を介して、少なくとも一つの入口ダクト（ｃｅ３）および少なくとも一つの出口ダクト（ｃｓ３）に直接接続されるように構成されることと、
前記外部部品（２１、２２）の前記オリフィス（２１３、２２３）、前記ループ（２１９、２２９）および前記ダクト（２１８、２２８）、ならびに前記内部部品（２３）を通る前記オリフィス（２３３）が、二次的な分注状態（Ｅｄ２’）では、前記内部部品（２３）の前記オリフィスの少なくとも一つが、前記外部部品（２１、２２）のオリフィスを介して、少なくとも一つの入口ダクトおよび少なくとも一つの出口ダクトに直接接続され、前記内部部品（２３）の前記オリフィスの前記少なくとも一つが、調整された容積のサンプリングチャンバーであるように構成されることである、
前記サンプリングバルブ。
【請求項３】
前記回転軸（Ａ）の周りを回転することができる前記二つの部品が、前記外部部品（２１、２２）であることを特徴とする、請求項１または２に記載のサンプリングバルブ。
【請求項４】
前記回転部品（２１、２２）が同時に作動し得ることを特徴とする、請求項１−３のいずれか一項に記載のサンプリングバルブ。
【請求項５】
前記回転部品（２１、２２）が同時に反対方向（Ｓ１、Ｓ２）に作動し得ることを特徴とする、請求項１−４のいずれか一項に記載のサンプリングバルブ。
【請求項６】
前記回転部品（２１、２２）の前記角度位置が、伝達手段（３２、３３）を介してリニアアクチュエーター（３）により制御され、前記伝達手段が、前記回転軸（Ａ）の周りの異なる位置で前記回転部品（２１、２２）と係合することを特徴とする、請求項１−５のいずれか一項に記載のサンプリングバルブ。
【請求項７】
前記伝達手段がヨークを有し、該ヨークの中央部は前記リニアアクチュエーター（３）に接続されており、前記ヨークは二つのアームを有し、前記ヨークのそれぞれのアーム（３２、３３）は前記回転部品（２１、２２）のそれぞれ一つに接続されることを特徴とする、請求項６に記載のサンプリングバルブ。
【請求項８】
それぞれのアーム（３２、３３）の第一端部が前記リニアアクチュエーター（３）の並進的可動部に固定されること、およびそれぞれのアーム（３２、３３）の第二端部が前記回転部品（２１、２２）のうちの一つのみと係合することを特徴とする、請求項７に記載のサンプリングバルブ。
【請求項９】
前記ヨークのそれぞれのアーム（３２、３３）の前記第二のそれぞれの端部がそれぞれの回転部品（３２、３３）と係合し、前記リニアアクチュエーター（３）の前記可動部の並進運動を通して前記回転部品（３２、３３）を回転して駆動する態様で、前記ヨークが前記回転部品（３２、３３）を把持するようになっていることを特徴とする、請求項８に記載のサンプリングバルブ。
【請求項１０】
前記相対角度位置の少なくとも一つにおいて、端止め手段は、前記回転部品（２１、２２）の前記角度位置を規定し、前記端止め手段は好ましくは、端止め要素（６）を有し、該端止め要素は、前記回転軸（Ａ）の周りにアンギュラークリアランスを有する前記回転部品（２１、２２）を通って、軸方向にポート（２１５、２２５）まで及ぶことを特徴とする、請求項１−９のいずれか一項に記載のサンプリングバルブ。
【請求項１１】
前記部品（２１、２２、２３）が、相対回転を通して、
抽出液の調整された容積が分離される、機能的なサンプル抽出状態（Ｅｐ）から
これら調整された容積が分注回路との連通状態に置かれる、機能的な分注状態（Ｅｄ）への
移行を可能にするように構成され、
当該サンプリングバルブの特徴は、
前記調整された容積のいくつかが、一つまたはいくつかのループ（ｂ）において規定され、かつ、前記一つまたはいくつかのループ（ｂ）の容量により調整され、かつ、他の調整された容積が、内部部品（２３）の一つまたはいくつかのオリフィス（２３ｏ３）内で規定され、前記内部部品（２３）の前記一つまたはいくつかのオリフィス（２２ｏ３）の容量により調整されることである、請求項１−１０のいずれか一項に記載のサンプリングバルブ。
【請求項１２】
前記外部部品（２１、２２）の前記オリフィス（２１３、２２３）、前記ループ（２１９、２２９）および前記ダクト（２１８、２２８）、ならびに前記内部部品（２３）を通る前記オリフィス（２３３）が、二次的な分注状態（Ｅｄ２’）では、前記内部部品（２３）の前記オリフィスの少なくとも一つが、前記外部部品（２１、２２）のオリフィスを介して、少なくとも一つの入口ダクトおよび少なくとも一つの出口ダクトに直接接続され、前記内部部品（２３）の前記オリフィスの前記少なくとも一つが、調整された容積のサンプリングチャンバーであるように構成されることを特徴とする、請求項１に記載のサンプリングバルブ。
【請求項１３】
前記外部部品（２１、２２）が：
−  前記外部部品（２１、２２）が、反対の回転方向に動く、または
−  前記外部部品（２１、２２）の一方が、前記回転軸（Ａ）の周りの回転の方向に動き、前記外部部品（２１、２２）のもう一方が、前記回転軸の周りを回転しない
ように選択的に作動することができることを特徴とする、請求項１−１２のいずれか一項に記載のサンプリングバルブ。
【請求項１４】
前記外部部品（２１、２２）の前記オリフィス（２１３、２２３）、前記ループ（２１９、２２９）および前記ダクト（２１８、２２８）、ならびに前記内部部品（２３）を通る前記オリフィス（２３３）が、それらの相対角度位置を通して、
−  一次的なサンプル抽出状態（Ｅｐ１’’）を介する前記上記サンプル抽出状態、そしてまた、
−  そのうちのいくつかが前記一次的なサンプル抽出状態（Ｅｐ１’’）の前記ループと共通する前記ループのいくつか（ｂ２’’）が、前記内部部品（２３）の前記オリフィスのいくつか（２３ｏ２’’）および前記外部部品（２１、２２）の前記オリフィスのいくつか（２１ｏ２’’、２２ｏ２’’）により、少なくとも一つの入口ダクト（ｃｅ２’’）および少なくとも一つの出口ダクト（ｃｓ２’’）により接続される、二次的なサンプル抽出状態（Ｅｐ２’’）または二次的なすすぎを行う状態（Ｅｒ２’’）
を規定するように構成されることを特徴とする、請求項１−１３のいずれか一項に記載のサンプリングバルブ。
【請求項１５】
前記外部部品（２１、２２）が：
−  前記外部部品（２１、２２）が、同じ回転方向に動く；または
−  前記外部部品（２１、２２）が、反対の回転方向に動く；または
−  前記外部部品（２１、２２）の一方が、前記回転軸（Ａ）の周りの回転の方向に動き、前記外部部品（２１、２２）のもう一方が、前記回転軸（Ａ）の周りを回転しない
ように選択的に作動することができることを特徴とする、請求項１−１４のいずれか一項に記載のサンプリングバルブ。
【請求項１６】
前記外部部品（２１、２２）の前記オリフィス（２１３、２２３）、前記ループ（２１９、２２９）および前記ダクト（２１８、２２８）、ならびに前記内部部品（２３）を通る前記オリフィス（２３３）が、前記分注状態（Ｅｄ）、または、それぞれ、前記分注状態の少なくとも一つでは、前記内部部品（２３）の前記オリフィスの少なくとも一つ（２３ｏ３）が、前記外部部品（２１、２２）のオリフィス（２１ｏ３、２２ｏ３）を介して、少なくとも一つの入口ダクト（ｃｅ３）および少なくとも一つの出口ダクト（ｃｓ３）に直接接続され、ここで前記内部部品（２３）の前記オリフィスの前記少なくとも一つ（２３ｏ３）が、調整された容積のサンプリングチャンバーであるように構成されることを特徴とする、請求項１、１２または１４に記載のサンプリングバルブ。
【請求項１７】
請求項１−１６のいずれか一項に記載のサンプリングバルブを少なくとも一つ使用する、生物学的パラメーターを分析するための装置。
【請求項１８】
請求項１−１６のいずれか一項に記載のサンプリングバルブの使用を含む、サンプリング方法。
【発明の詳細な説明】
【技術分野】
【０００１】
本発明は、サンプリングバルブおよびそのようなバルブを備える装置、例えば、これに限定されないが、生体サンプルから血液学的な測定および／または生化学的な測定を行うための装置、に関する。
【背景技術】
【０００２】
先行技術
機械を用いる血液学的な測定および／または生化学的な測定を行うことは、生体サンプル、例えば患者から採取した血液サンプル、のサンプリングを伴う。サンプリングは、アリコートと呼ばれる血液の容積（ボリューム）の調整（キャリブレーション）を可能にする。これらのアリコートは、その後、様々な試薬と混合され、分析中に血液の成分を明らかにすることを可能にする。血液の容積は、測定を信頼性のあるものとするために、正確にかつ再現性を有するように調整される必要がある。
【０００３】
アリコートを作成するためのいくつかのタイプの装置、とりわけサンプリングバルブ、が知られている。
【０００４】
サンプリングバルブは、単独で作動してもよく、また、分析器に組み込まれていてもよい。
【０００５】
そのようなバルブ付きの自動分析器は、高速、例えば一分間あたり一測定のオーダー、での作業を可能にする。
【０００６】
公知のサンプリングバルブは、典型的には、生体サンプルが、回転運動が可能な内部部品に対して固定される外部部品上に配置されるループ中で分断されることを可能にする。このことは、例えば、ＷＯ  ９０／０７７０２、ＷＯ  ２００４／０３４０３４またはＵＳ  ４  ９４８  ５６５によって伝えられる。
【０００７】
典型的には、血液の容積は、部品中に位置するループ中またはチャンバー中のいずれかで調整される。
【０００８】
血液のアリコートと試薬との混合物は、典型的には、部品中に形成されるオリフィスおよび溝への流入により出口ダクトへ移される。
【０００９】
溝の存在は、サンプリングバルブが汚損され、詰まり、かつ、つかえることをもたらす。
【００１０】
さらに、回転部品の回転駆動は、典型的には、ステッピングモーターまたは頑丈な端止めなしで停止されるねじ伝達を用いて達成され、このことは、部品の相対角度位置の位置決め（ポジショニング）が失われる危険性をもたらす。
【００１１】
公知のバルブの部品は、それらを密閉するために、互いにクランプされる。さらに、内部部品の一方向への回転は、端止めに対する膨大な不平衡力を伴い、該端止めは、時間の経過と共に劣化する。このことは、調節が失われる危険性の一因となる。
【００１２】
これらのデメリットは、操業費および製造費を増加させる、定期的な保全業務および複雑な調節を伴う。
【００１３】
本発明の主要な目的は、先行技術のサンプリングバルブのデメリットの全てまたはいくつかを軽減することである。
【００１４】
本発明の別の目的は、同時に異なった容積の微小−アリコートを作成するサンプリングバルブを提案することである。
【００１５】
本発明のさらに別の目的は、ループ、ダクトおよびキャピラリーのネットワークを単純化することを可能にする、回転要素を有するサンプリングバルブを提案することである。
【００１６】
本発明の別の目的は、要素の均一かつ再現可能なクランプを可能にするサンプリングバルブを提案することである。
【００１７】
本発明の別の目的は、要素の回転力を均等に分配するサンプリングバルブを提案することである。
【００１８】
本発明のさらに別の目的は、位置決めが失われることを防止するサンプリングバルブを提案することである。
【発明の概要】
【００１９】
これらの目的は、本発明の第一の側面によるサンプリングバルブを用いて達成され、当該サンプリングバルブは、二つの外部部品と、前記外部部品の間にクランプされる一つの内部部品と、回転軸の周りの前記部品の相対角度位置を調節する手段とを有し、前記内部部品は、前記外部部品の隣接面を、液密でありかつスライドする態様にて支持する対向面を有し、前記外部部品は、オリフィスと、ループと、ダクトとを有し、前記ループおよび前記ダクトは、前記内部部品を通るオリフィスと選択的に連通するように構成されており、当該サンプリングバルブの特徴は、
−  前記部品のうち二つが、前記部品のうちの固定された一つに対して、前記回転軸の周りを回転可能であるということであり、
−  特に、回転軸の周りを回転可能である二つの部品が、前記二つの外部部品であるという態様になっていることである。
【００２０】
一つだけよりむしろ二つの部品が動くことは、実施形態および実際に直面する状況により、様々なメリットの提供を可能にする。
【００２１】
二つの回転部品が端止めに接触しており、したがっていかなる調節の問題もない、より機能的な状態を作り出すことが可能である。
【００２２】
二つの外部部品の回転は、バルブの部品に加えられた機械力を分配するというメリットを提供する。特に、回転の方向が反対である外部部品が同時に作動することは、内部部品に起こるモーメントを多かれ少なかれ相殺する。そのような機械的分配はまた、バルブの密閉を最適化するというメリットも提供する。さらに、二つの外部部品の回転は、バルブのループ、ダクトおよびオリフィスのネットワークを単純化することを、例えばループおよびオリフィスの数を減らすことにより可能にすると同時に、考え得る機能的な構成の数を増やすことを可能にする。
【００２３】
バルブ中を循環するまたはバルブ中に貯蔵される流体（例えば、血液のアリコート、試薬）の入口および出口用のノズルを支持する外部部品の回転運動はとりわけ、特に分注状態（後述）において、入口と出口が互いにオフセットされることを可能にする。
【００２４】
実施態様に応じて、本発明のバルブの回転部品は：
−  同時に作動してもよく、
−  逆の回転方向に同時に作動してもよく、
−  互いに別々に作動してもよい。
【００２５】
実施態様に応じて、サンプリングバルブは：
−  回転部品の角度位置は、回転軸の周りの異なった位置で前記回転部品に係合する伝達手段を介してリニア（直線状）アクチュエーターにより制御され；
−  伝達手段は好ましくは、中心部がリニアアクチュエーターに接続されるヨークを有し、前記ヨークは好ましくは、二つのアームを有し、前記ヨークのそれぞれのアームは、回転部品のそれぞれ一つに接続され；
−  それぞれのアームの第一端部は、リニアアクチュエーターの並進的可動部に固定され、該可動部は好ましくは、ピストンであり、かつ、それぞれのアームの第二端部は、回転部品の一つにのみ係合し；
−  ヨークのそれぞれのアームの第二のそれぞれの端部は、それぞれの回転部品に係合し、リニアアクチュエーターの可動部の並進運動を通して回転部品を回転して駆動する態様にてヨークが回転部品を把持するようになっており；
−  好ましくは、伝達手段と回転部品との接続部は、前記回転部品の少なくとも一つの周囲にノッチを有し；
−  部品の少なくとも一つの周囲は、伝達手段への干渉のない軸方向への抜き出しを可能にするくぼみを有し；
−  アクチュエーターは、空気ピストンを有し；
−  特に、回転手段が前記ヨークを有するとき、空気ピストンまたは他のリニアアクチュエーターは好ましくは、回転軸に対して放射状に取り付けられ；
−  相対角度位置の少なくとも一つにおいて、端止め手段は、回転部品の角度位置を規定し；
−  端止め手段は、端止め要素を有し、該端止め要素は、回転軸の周りにアンギュラークリアランス（角隙間）を有する回転部品を通って、軸方向にポートまで及び； 
−  部品を共に軸方向に圧する加圧システムを有すること
を特徴とする。
【００２６】
空気ピストンのようなリニアアクチュエーターによるバルブの回転部品の作動は、これらの回転部品のいくつかの角度位置が機械的端止めにより提供される態様では、位置決めが失われる危険性を避けると同時に、単一のアクチュエーターの使用を可能にする。クランプが例えばばねにより測定される、軸方向加圧システムを用いる軸方向クランプの作成は、バルブの部品が均一かつ再現可能にクランプされることを可能にする。
【００２７】
部品が互いに関して端止めを有することは、それらのそれぞれの角度位置に関する限り、少なくともいくつかの機能的な状態において、好ましくは全ての機能的な状態において、有利である。
【００２８】
以下、「特定のタイプのバルブ」とは、二つの外部部品と、前記外部部品の間にクランプされる一つの内部部品と、回転軸の周りの前記部品の相対角度位置を調節する手段とを有し、前記内部部品は、前記外部部品の隣接面を、液密でありかつスライドする態様にて支持する対向面を有し、前記外部部品は、オリフィスと、ループと、ダクトとを有し、前記ループおよび前記ダクトは、前記内部部品を通るオリフィスと選択的に連通するように構成されているサンプリングバルブを指す。
【００２９】
本発明の第二の側面によれば、これに限定されないが特に第一の側面による特定のタイプのバルブにおける、機能的なサンプル抽出状態からの部品の相対的回転が、抽出液の調整された容積を分離し、その後、機能的な分注状態に達したとき、これらの調整された容積を分注回路との連通状態に置く態様において、前記バルブの特徴は、前記調整された容積のいくつかが、一つまたはいくつかのループにおいて規定され、前記一つまたはいくつかのループの容量により調整され、かつ、他の調整された容積が、内部部品の一つまたはいくつかのオリフィスにおいて規定され、前記内部部品の前記一つまたはいくつかのオリフィスの容量により調整されることである。
【００３０】
本発明の第三の側面による第一の態様において、とりわけ第一の側面による特定のタイプのバルブにおいて、バルブは：
−  外部部品のオリフィス、ループおよびダクト、ならびに内部部品を通るオリフィスが、それらの相対角度位置を通して、二つのはっきりと異なる状態
〇  前記ループのいくつかが、前記内部部品の前記オリフィスのいくつかおよび前記外部部品の前記オリフィスのいくつかにより、少なくとも一つの入口ダクトおよび少なくとも一つの出口ダクトに接続される、サンプル抽出状態またはすすぎを行う状態、
○  一連のループが、調整された容積のサンプリングループであり、前記内部部品の前記オリフィスのいくつかおよび前記外部部品の前記オリフィスのいくつかにより、少なくとも一つの入口ダクトおよび少なくとも一つの出口ダクトに、それぞれ別々に接続される、少なくとも一つの分注状態；
を規定するように構成されていること：
または、
−  外部部品のオリフィス、ループおよびダクト、ならびに内部部品を通るオリフィスが、それらの相対角度位置を通して、二つのはっきりと異なる状態
〇  前記ループのいくつかが、前記内部部品の前記オリフィスのいくつかおよび前記外部部品の前記オリフィスのいくつかにより、少なくとも一つの入口ダクトおよび少なくとも一つの出口ダクトに接続される、サンプル抽出状態またはすすぎを行う状態、
○  前記内部部品の前記オリフィスの少なくとも一つが、調整された容積のサンプリングチャンバーであり、かつ、前記外部部品のオリフィスを介して、少なくとも一つの入口ダクトおよび少なくとも一つの出口ダクトに、直接接続される、少なくとも一つの分注状態
を規定するように構成されていること：
を特徴とする。
【００３１】
これら本発明の第二・第三の側面によれば、および特に先ほど説明したばかりの態様では、アリコートは、内部部品のオリフィスにより作成されるループもしくはチャンバーのいずれかにおいて、または同時にこれらのループおよびこれらのチャンバーの両方において、形成されてもよい。このように作成される容積はこのように、実行される分析のタイプにより異なる調整（キャリブレーション）基準を満たすことができる。それはしたがって、例えばループから採取される容積およびチャンバーから採取される微小な容積を用いて分析を結合することを可能にする。そのような態様はまた、希釈液および試薬の消費を最適化することを可能にする。
【００３２】
さらにそのような態様により作成されるバルブは、ループ間の連通用のあらゆる溝を省くことを可能にし、それにより詰まりおよび汚損の危険性を制限する。
【００３３】
本発明の第三の側面による第二の態様において、外部部品のオリフィス、ループおよびダクト、ならびに内部部品を通るオリフィスは、それらの相対角度位置を通して：
−  二次的な前記一連のループが、調整された容積のサンプリングループであり、前記内部部品の前記オリフィスのいくつかおよび前記外部部品の前記オリフィスのいくつかにより、少なくとも一つの入口ダクトおよび少なくとも一つの出口ダクトに、それぞれ別々に接続される、二次的な分注状態；
または、
−  前記内部部品の前記オリフィスの少なくとも一つを、少なくとも一つの入口ダクトおよび少なくとも一つの出口ダクトに、前記外部部品のオリフィスを介して直接接続する、二次的な分注状態であって、前記内部部品の前記オリフィスの前記少なくとも一つが、調整された容積のサンプリングチャンバーである、二次的な分注状態
を規定するようにも構成される。
【００３４】
好ましくは、そのようなバルブは、外部部品が選択的に作動し：
−  前記外部部品が、反対の回転方向に動く；または
−  前記外部部品の一つが、回転軸の周りの回転の方向に動き、前記外部部品のもう一つが、前記回転軸の周りを回転しない
ようになることを特徴とする。
【００３５】
本発明の第三の側面によるこの第二の態様のバルブは、内部部品中に少なくとも一つのループおよび／または少なくとも一つのチャンバーを予備のためにとっておくことを可能にし、このことは、サンプルの抽出を繰り返すことなく追加の検証測定を実行することを可能にする。
【００３６】
このメリットは、サンプリングバルブが例えば高いサンプリングレートを可能にする分析器に内蔵されるときに、特に関連がある。
【００３７】
本発明の第三の側面による第三の態様において、外部部品のオリフィス、ループおよびダクト、ならびに内部部品を通るオリフィスは、それらの相対角度位置を通して、第四の機能的な状態、すなわち第二の態様の三つの機能的な状態に加えて、前記ループのいくつか（いくつかは、前記一時的なサンプル抽出状態の前記ループと共通している）が、前記内部部品の前記オリフィスのいくつかおよび前記外部部品の前記オリフィスのいくつかにより、少なくとも一つの入口ダクトおよび少なくとも一つの出口ダクトに接続される、二次的なサンプル抽出状態またはすすぎを行う状態を規定するように構成される。
【００３８】
好ましくは、そのようなバルブは、外部部品が選択的に作動し：
−  前記外部部品が、同じ回転方向に動く；または
−  前記外部部品が、反対の回転方向に動く；または
−  前記外部部品の一つが、回転軸の周りの回転の方向に動き、前記外部部品のもう一つが、前記回転軸の周りを回転しない
ようになることを特徴とする。
【００３９】
本発明の第三の側面によるこの第三の態様のバルブは、同じバルブ内に並行して作動する二つのサンプル抽出回路を形成することを可能にする。
【００４０】
さらに、そのことは、サンプルの抽出を繰り返すことなく追加の検証測定を実行することを可能にする。
【００４１】
これらのメリットは、サンプリングバルブが例えば高いサンプリングレートを可能にする分析器に内蔵されるときに、特に関連がある。
【００４２】
好ましくは、第三の側面の全ての態様において、前記分注状態の少なくとも一つはまた、内部部品のオリフィスの少なくとも一つを、外部部品のオリフィスを介して、少なくとも一つの入口ダクトおよび少なくとも一つの出口ダクトに直接接続し、前記内部部品の前記オリフィスの前記少なくとも一つは、調整された容積のサンプリングチャンバーである。
【００４３】
本発明のバルブは、バルブの一つ以上の部品に形成されるあらゆる溝または空洞を省くことを可能にする。このことは次に、乱流領域が作り出されることを回避し、結果的にバルブの汚損および詰まりを回避する。 
【００４４】
サンプリングバルブは、その中を流れる流体の流れを乱すものに極めて敏感である。乱流領域がないことは、バルブを用いるときに誤った結果を生成しないために最も重要である。このため、典型的には溶解血液（バーストセル）がそれを通って循環するダクト中に、空洞（または、アリコートを反対方向に送り返すシケイン）のようないかなる乱流領域も含まないことは、バルブにとって特に有利である。なぜなら、この溶解血液の含有するタンパク質が隅で捕捉されると、永久に沈着し得、例えば、詰まりまたはアリコートの中身とは異質の分子の再放出をもたらすからである。 
【００４５】
サンプリングバルブはまた、内部ダクトの直径の変化（圧力損失）に極めて敏感である。したがって、それを通して試薬が循環するダクト中の空洞（アリコートを送り返すシケイン）により行われるようないかなる直径の変化も回避することが必要である。なぜなら、試薬ガス放出現象が減圧領域で起こり、微小気泡の形成（例えば、ゴースト細胞の偽計数）をもたらすからである。
【００４６】
さらに、そのようなバルブは、使用と使用の間で、典型的には異なる患者からの血液分析の二サイクル間で、完璧に清掃される必要がある。したがって、空洞（アリコートを送り返すシケイン）の存在を通して達成される領域のような、流体の速度が相殺される領域を回避することが必要である。なぜなら、そのような領域では、すすぎが無効となるかまたは妨げられるからである。
【００４７】
本発明のサンプリングバルブは、これらの要件を満たすと考えられる。空洞および大乱流領域を回避するため、バルブ中を循環する流体（単数）または流体（複数）が循環する方向は、特に内部部品においては、常に流通方向（すなわち、空洞を用いる「旋回」ではない）である。したがって、バルブの内部部品中を循環する、もしくはバルブの内部部品中に含まれる流体（単数）もしくは流体（複数）は、この内部部品を通るオリフィス中を循環、またはこの内部部品を通るオリフィス中に含まれ、これらのオリフィスは好ましくは円筒状のオリフィスであり、好ましくは外部部品の隣接面を、液密でありかつスライドする態様にて圧する前記対向面に垂直である。 
【００４８】
いくつかの適用は、小容積の血液、例えば５μｌより少ない血液、のアリコートおよび１０マイクロリットル程度のオーダーの血液の容積の他のアリコートの作成を要する。そのような適用の実行は、とりわけバルブの外形寸法または全体寸法に関して、技術要件を提示する。
【００４９】
本発明のバルブは、内部部品中にマイクロドリル加工を作り出すこと、およびそれに小さな厚さ、例えば数ミリメートルのオーダーの厚さ、を与えるこの内部部品の寸法を通して、そのような技術要件を満たすことができ、内部部品の厚さは好ましくは３ｍｍより小さく、好ましくは２．５ｍｍより小さい。好ましくは、内部部品は、実質的に円筒状であり、その直径は、４０ｍｍより小さく、好ましくは３０ｍｍより小さい。好ましくは、前記マイクロドリル加工により形成される容積は、１μｌより小さく、好ましくは０．５μｌより小さい。そのような寸法は、特にこの内部部品がセラミック製であるとき、この内部部品を弱めるので、外部部品の回転を含む解決策は特に有利である。
【００５０】
好ましくは、外部部品の厚さは、６ｍｍより小さく、好ましくは４．５ｍｍより小さい。好ましくは、外部部品は実質的に円筒状であり、それらの直径は、４５ｍｍより小さく、好ましくは３５ｍｍより小さい。
【００５１】
さらに、本発明のバルブはまた、より大きい血液の容積、例えば１０マイクロリットル程度のオーダーの血液の容積、をサンプリングループで作成することを通して、上記技術要件を満たすことも部分的に可能にする。好ましくは、サンプリングループは、２ｍｍより小さく、好ましくは１ｍｍより小さい内径を有する。好ましくは、少なくともサンプリングループの部分により形成される容積は、３５μｌより小さく、好ましくは２５μｌより小さい。そこで形成されるアリコートを正確に調整することのできるループ上の製造許容差に適合するために、サンプリングループは、典型的には金属管を用いて作られ、プラスチック管は適切ではない。
【００５２】
本発明のサンプリングバルブの一態様では、ヒトの血液と、少なくとも四つの異なる試薬とが同時に用いられ、それら試薬は異なる特性を持っており、典型的には、血液サンプル、他の試薬および／またはサンプリングバルブを一度に阻害するものである。全ての分配は同時に起こる。特に、全ての血液の容積は、一度に、すなわち、サンプル抽出状態に対応する可動部の単一の相対位置で抽出される。もう一つの位置では、それぞれの試薬のそれぞれを適切な容積で有するこれらの血液のアリコートを調整し、分配し、混合する工程が、次いで実行される。
【００５３】
外部部品に回転運動を生じさせることは、つかえを回避し、部品の相対位置がどうであれ同じである負荷分配を有することを可能にする。
【００５４】
サンプリングおよび分配は、１秒のオーダーという非常に短期間で実行され、バルブの部品の位置決めが（一ミクロンのオーダーで）正確であり、繰り返し性を有することが重要である。さらに、保全業務を制限し、バルブの寿命を延ばす（動力損失および故障の危険性を制限する）ために、可動部が様々な相対位置にできるだけ簡潔に達することが必要である。
【００５５】
この点、本発明のバルブは、それぞれの外部部品を同時にかつ単一の回転軸の周りを反対方向に駆動するヨークに関連するリニアアクチュエーターの使用を通して、あるいはバルブの部品の互いに対する均一な圧力を達成するための単一のばねの存在を通して、または位置決めが失われることを制限する単一かつ堅牢な位置決め端止め効果さえ通して、そのような要件を有利に満たすことができる。
【００５６】
好ましくは、バルブの部品はセラミックを含む。セラミックは、粒子の再放出を通した腐食または汚染を回避するために、バルブが熱的および化学的見地から中立の状態になり得ることを意味する。セラミックはまた、互いに接触する二つの特定の部品を配置する表面上の部品の良好な平坦度、および非常に小さい表面粗さを確実にすることも可能にする。
【００５７】
本発明はまた、本発明の第一または第二の側面の、説明したばかりの態様のそれぞれにおける、少なくとも一つのサンプリングバルブを用いる、生物学的パラメーターを分析するための装置にも関する。
【００５８】
図面の目録および実施態様の説明
本発明の他の仕様およびメリットは、全く非限定的な実施態様の詳細な説明および添付の図面から明らかになるであろう。
【図面の簡単な説明】
【００５９】
【図１】図１は、本発明の一つの好ましい態様によるサンプリングバルブの斜視図である。
【図２】図２は、サンプリングアセンブリの分解斜視図であり、本発明の一つの好ましい態様による図１のバルブの部品を示す。
【図３】図３および４は、はっきり異なる機能的な二つの状態における図１のバルブの模式図であって、該二つの状態は次の通りである：○図３では、サンプル抽出またはすすぎを行う状態。○図４では、分注状態。
【図４】図３および４は、はっきり異なる機能的な二つの状態における図１のバルブの模式図であって、該二つの状態は次の通りである：○図３では、サンプル抽出またはすすぎを行う状態。○図４では、分注状態。
【図５】図５−７はそれぞれ、本発明の三つの他の態様による、その様々な機能的な状態にあるサンプリングバルブの働きを説明する。
【図６】図５−７はそれぞれ、本発明の三つの他の態様による、その様々な機能的な状態にあるサンプリングバルブの働きを説明する。
【図７】図５−７はそれぞれ、本発明の三つの他の態様による、その様々な機能的な状態にあるサンプリングバルブの働きを説明する。
【図８】図８は、図１のバルブの部品の部分図であり、シール距離を描く。
【発明を実施するための形態】
【００６０】
これらの態様は全く非限定的であるため、説明される他の機能から離れて、以下に説明される機能の選択のみからなる本発明の代替的な構造を着想することは、この機能の選択が技術的メリットを授ける、または先行技術から本発明を区別するのに十分であれば、とりわけ可能である。
【００６１】
図１−４に描かれるサンプリングバルブ１は、サンプリングアセンブリ２、アクチュエーター３および支持体４を有する。
【００６２】
サンプリングアセンブリ２は、支持体４に関して固定されている部品２３に対して、回転部品と呼ばれる、共通の軸Ａの周りの回転運動が可能な二つの部品２１、２２を有する。この態様では、回転部品２１、２２および固定部品２３は、ディスク状の全体形状を有する。それらは、軸Ａに沿って積み重ねられ、平坦かつ軸Ａに垂直であるそれらの相互接触面２１１、２２１、２３１、２３２上で対になって接触する。
【００６３】
回転部品は、内部部品２３のそれぞれの側面に配置される、二つの外部部品２１および２２である。
【００６４】
内部部品２３は、それを通り、接触面２３１、２３２を互いに接続するオリフィス２３３を有する。
【００６５】
外部部品２１、２２は、それらの外面２１２、２２２に固定される、サンプリングループ２１９、２２９および分注・出口ダクト２１８、２２８を有する。ループ２１９、２２９はそれぞれ、二つの端部を有し、該二つの端部は、内部部品２３の少なくとも二つのオリフィス２３３上に、接触面２１１、２２１を通って広がる。ダクト２１８、２２８はそれぞれ、二つの端部を有し、そのうち一つの端部は、内部部品２３の少なくとも一つのオリフィス２３３上に、接触面２１１、２２１を通って広がる。
【００６６】
サンプリングアセンブリ２の外部部品２１、２２および内部部品２３は、例えばばねを含むクランプシステム５を収容するための中央開口部２１４、２２４、２３４を有する。クランプシステム５は、外部部品２１、２２の回転の軸Ａの周りで、外部部品２１、２２および内部部品２３を調整し、中心に集めてクランプすることを可能にする。このクランプは、抽出液または分析液がいかなる実質的な量でも接触面の間に染み込むことができない限り、接触面の間に、接触面２１１、２３１および２２１、２３２の間の接触を密封するのに十分な圧力をもたらす。しかしながら、接触面は、部品の相互回転を可能にするために、接触面間の相対スライドを可能にするほど十分小さい表面粗さを有する。この小さい表面粗さは、所望の密封を獲得するために有利である。
【００６７】
サンプリングアセンブリ２の外部部品２１、２２はさらに、この態様では円形として生成される、偏心開口部２１５、２２５を有する。内部部品２３もまた、例えばサンプリングアセンブリ２の第一の半径方向Ｒ１に縦長の形状の、偏心開口部２３５を有する。円筒形状であり、内部部品２３の偏心開口部２３５の最も狭い幅と実質的に同一の直径を有するシャフト６は、外部部品２１、２２および内部部品２３の偏心開口部２１５、２２５、２３５を通る。偏心開口部２１５、２２５は、軸Ａの周りに、シャフト６の直径より大きい、例えば拘束的ではないが二倍の係数で大きい、外周寸法を有し、シャフトが外部部品２１、２２の偏心オリフィス２１５、２２５のそれぞれにより形成されるハウジングの端面に沿ってのみ接触することができるようになっている。さらに、シャフト６は、固定支持体４に対して固定されている。
【００６８】
そのようなアセンブリは、外部部品２１、２２および内部部品２３が接触し、クランプシステム５によりクランプされるとき、シャフト６の直径が内部部品２３の偏心開口部２３５の幅と実質的に同一であるとの理由により、シャフト６による支持体４に対する回転に関して内部部品２３が静止することを可能にする。さらに、回転軸Ａの周りの外部部品２１、２２の運動は、偏心オリフィス２１５、２２５のハウジングに隣接する状態になるシャフト６により、二つの回転方向Ｓ１、Ｓ２（部品２２）またはＳ１’、Ｓ２’（部品２１）のそれぞれに制限される。したがって、それぞれの機能的な状態において、三つの部品２１、２２、２３は、シャフト６の側壁により形成される一つかつ同一の基準面端止めに隣接する。
【００６９】
この構成が、繰り返し可能な相対角度位置に回転部品２１、２２を配置するのに特に有利であることは、注目されるべきである。
【００７０】
図１、３および４に描かれる態様では、アクチュエーター３は、回転軸Ａに関して半径方向、この例では半径方向Ｒ１、に並進的に移動するピストン３１を有するリニアアクチュエーターである。実施例では、この方向は鉛直である。アクチュエーターは、部品２１、２２、２３の下に配置される。
【００７１】
ピストン３１は、二つのアーム３２、３３を有する作動ヨークに固定され、該アームは、その端部が回転部品２１、２２の側面２１７、２２７に形成されるノッチ２１６、２２６に係合する。好ましい態様では、側面２１７、２２７は、アクチュエーター３の作動方向の両側に一つずつ位置する。
【００７２】
図３を参照すると、サンプリングアセンブリ２に向う（図の上部に向う）ピストン３１の運動ならびにヨーク３２および３３の運動は、外部部品２２の第一の方向Ｓ１および外部部品２１の第一の方向Ｓ１とは反対の第二の方向Ｓ２’に、軸Ａの周りの回転運動を生成する。
【００７３】
図４を参照すると、サンプリングアセンブリ２とは反対方向に向う（図の下部に向う）ピストン３１の運動ならびにヨーク３２および３３の運動は、外部部品２１の第一の方向Ｓ１’および外部部品２２の第二の方向Ｓ２’に、軸Ａの周りの回転運動を生成する。
【００７４】
ピストン３１がいずれの方向に動くにせよ、この運動の振幅は、外部部品２１、２２の偏心オリフィス２１５、２２５におけるシャフト６の軸Ａの周りの円周方向の隙間により決定される。
【００７５】
この態様は、外部部品２１、２２にわたって回転力を分配し、それによりつかえの危険性を低減することを可能にするというメリットを提供する。さらに、この態様は、並進的に移動する簡素なピストン３１で動作する単一のアクチュエーター３を用いて二つの外部部品２１、２２が作動することを可能にし、それにより寸法および製造費を低減するとともに、製造・保全業務をより容易にする。
【００７６】
この態様はまた、二つの機能的な状態のそれぞれにおいて、三つの部品２１、２２、２３が、端止めの役割を果たすシャフト６に、言い換えれば共通の基準面に、隣接するように押し込まれ、そのことにより外部部品２１、２２の位置決めが失われる危険性を回避するという点において特に有利である。
【００７７】
本発明のさらなる側面が、これから説明されるであろう。ここで該側面は、本発明の第一の側面の態様のいくつかの組み合わせと両立し得、部品２１、２２、２３のループ２１９、２２９、ダクト２１８、２２８およびオリフィス２１３、２２３、２３３のネットワークが回転部品２１、２２の相対角度位置に関連して構成される方法にとりわけ関連する。
【００７８】
本発明のこれらの態様は、特に図５−７を参照して、これから説明されるであろう。
【００７９】
図５−７は、様々な機能的な状態におけるサンプリングバルブの働きを説明している。それぞれの機能的な状態のために、部品２１、２２、２３は広げられて示され、それらの相対角度位置が鉛直方向に相対部分の形態で見え得るようになっている。
【００８０】
さらに、それぞれの部品は、小さく単純な長方形に、円周方向（図５−７において鉛直）に細分され、部品２１、２２、２３の相対角度位置が図式的に見え得るようになっている。
【００８１】
図５−７中のそれぞれの部品内に含まれる一連の小さな長方形はまた、部品２１、２２、２３のループ、ダクトおよびオリフィスが、描かれる機能的な状態のそれぞれにおいて互いにどのように連通するかを説明する。したがって、特定の小さな長方形（例えば、図５における２１ｏ１、２２ｏ１、２３ｏ１）は、部品２１、２２、２３におけるオリフィスを示す。
【００８２】
図５の態様は、はっきり異なる機能的な二つの状態：（１）サンプル抽出状態Ｅｐまたはすすぎを行う状態Ｅｒ、および（２）分注状態Ｅｄを有する。
【００８３】
図５において、サンプル抽出状態Ｅｐまたはすすぎを行う状態Ｅｒが一つの同じ状態であることが分かる。なぜなら、部品２１、２２、２３の相対角度位置が同じだからである。この特定の場合においては、部品２１、２２、２３は、部品２１、２２、２３が一列に並ぶことにより説明される基準位置として言及される角度位置で描かれる。サンプル抽出状態Ｅｐおよびすすぎを行う状態Ｅｒは、この機能的な状態の二つの考え得る使用を説明するために、別々に描かれる。サンプル抽出状態Ｅｐにおいては、液体、例えば血液サンプル、が入口ダクトｃｅ１に注入され、部品２１、２２、２３のループｂおよびオリフィス２２ｏ１、２２ｏ１、２３ｏ１を通り、出口ダクトｃｓ１まで循環し、ここで該ループおよび該オリフィスは全て互いに直列であり、ダクトｃｅ１・ｃｓ１間に途切れず分岐しない通路を形成する。すすぎを行う状態Ｅｒでは、もう一つの液体、例えば希釈液、が同じ入口ダクトに注入され、同じオリフィスおよびループを通って出口ダクトまで循環し、これらのオリフィスおよびループを清掃することを可能にする。両方の場合において、注入される液体は、ダクトｃｅ１・ｃｓ１間に形成される途切れない通路の全体に入り込む。
【００８４】
図５に描かれる分注状態Ｅｄは、本発明のサンプリングバルブの第二の機能的な状態である。この状態は典型的には、抽出される血液サンプルについての分析を実行するために、血液のアリコートを形成し、様々な試薬でこれらのアリコートを分注するのに用いられる。
【００８５】
図５において、分注状態Ｅｄが、サンプル抽出状態Ｅｐに関連して、反対方向への外部部品２１、２２の運動および、この場合、二つの小さな長方形の高さとして視覚化される同一の振幅により獲得されることが分かる。
【００８６】
サンプル抽出状態Ｅｐにおいて、とりわけオリフィス２１ｏ１、２２ｏ１、２３ｏ１およびループｂの充填後、分注状態Ｅｄへの外部部品２１、２２の相対的回転位置決めは、いくつかもしくは全てのループｂ（サンプリングループと呼ばれる）において、または部品２３のオリフィス２３ｏ３（サンプリングチャンバーと呼ばれる）において、抽出液のアリコートを形成することを可能にする。採取される液の容積をサンプリングループに分注するために、部品２１、２２、２３の一列に並んだ（一線状に位置合わせされた）オリフィス２１ｏ１、２２ｏ１、２３ｏ１中を出口ダクトｃｓ２までアリコートを循環させるように、試薬が入口ダクトｃｅ２に注入される。採取される液体を一つまたはいくつかのサンプリングチャンバー２３ｏ３に分注するために、サンプリングチャンバー（単数）またはサンプリングチャンバー（複数）２３ｏ３と一列に並んだ一つまたはいくつかのオリフィス２１ｏ３、２２ｏ３中を一つまたはいくつかの出口ダクトｃｓ３まで循環するように、一つまたはいくつかの試薬が一つまたはいくつかの入口ダクトｃｅ３に注入される。
【００８７】
サンプリングループおよびサンプリングチャンバーにおけるアリコートの作成は、二つのタイプの液体容積調整を獲得すること、および、例えば、ループで標準サンプリングを、チャンバーでより正確なマイクロサンプリングを実行することを可能にする。
【００８８】
バルブは、一度に両方のタイプまたは一つのみの調整のいずれかを用いるサンプリングを可能にするというメリットを提供する。
【００８９】
説明されたばかりの態様はとりわけ、本発明の第一の側面から端止め手段６により規定される外部部品２１、２２の相対角度位置決めの機能と両立し得る。
【００９０】
特に、サンプル抽出状態Ｅｐおよびすすぎを行う状態Ｅｒは、図３に描かれるバルブ１の状態により獲得され得る一方、分注状態Ｅｄは、図４に描かれるバルブ１の状態により獲得され得る（これらの図面の説明については、上記を参照されたい）。
【００９１】
図６の態様は、はっきり異なる機能的な三つの状態：（１）サンプル抽出状態Ｅｐ’またはすすぎを行う状態Ｅｒ’、（２）一次的な分注状態Ｅｄ１’、および（３）二次的な分注状態Ｅｄ２’を有する。
【００９２】
この態様のサンプル抽出状態Ｅｐ’またはすすぎを行う状態Ｅｒ’の働きおよび原理は、先の態様のサンプル抽出状態Ｅｐまたはすすぎを行う状態Ｅｒのものに類似する。
【００９３】
この態様の一つの特有の機能は、二つの分注状態Ｅｄ１’、Ｅｄ２’の存在と関係がある。これらの分注状態Ｅｄ１’、Ｅｄ２’は、先の態様の分注状態Ｅｄ（上記参照）と同じ動作原理に基づく。この態様は、しかしながら、それぞれが独自のループｂ１’、ｂ２’および／またはサンプリングチャンバー２３ｏ３’を有する、二つの独立した分注ネットワークを提供する。
【００９４】
図６が示すように、二つの分注状態Ｅｄ１’、Ｅｄ２’のそれぞれは、外部部品２１、２２の相対角度位置と関連しており、該相対角度位置は、これらの部品２１、２２のそれぞれについて異なる振幅の運動により獲得される。
【００９５】
一次的な分注状態Ｅｄ１’において、部品２１、２２は、サンプル抽出状態Ｅｐ’に関して反対の方向に運動し、この運動の振幅は、部品２１の場合は一つの小さな長方形の高さとして、部品２２の場合は二つの小さな長方形の高さとして視覚化され得る。
【００９６】
二次的な分注状態Ｅｄ２’において、回転部品２１は、すなわち一次的な分注状態Ｅｄ１’に関して図６における一つの小さな長方形の値により、サンプル抽出状態Ｅｐ’の基準位置に戻る。対照的に、二次的な分注状態Ｅｄ２’において、回転部品２２は、一次的な分注状態Ｅｄ１’に関して運動しない。
【００９７】
説明されたばかりの構造は、二次的な分注状態Ｅｄ２’において、一次的な分注状態Ｅｄ１’では使用されない、一つもしくはいくつかのサンプリングループｂ２’ならびに対応するオリフィス２１ｏ２ｂ’、２２ｏ２ｂ’、２３ｏ２ｂ’およびダクトｃｅ２ｂ’、ｃｓ２ｂ’、ならびに／または、一つもしくはいくつかのサンプリングチャンバーならびに対応するオリフィスおよびダクトを使用することを可能にする。
【００９８】
それに応じて、この構造は、一次的な分注状態Ｅｄ１’において、二次的な分注状態Ｅｄ２’では使用されない、一つもしくはいくつかのサンプリングループｂ１’ならびに対応するオリフィス２１ｏ２ａ’、２２ｏ２ａ’、２３ｏ２ａ’およびダクトｃｅ２ａ’、ｃｓ２ａ’、ならびに／または、一つもしくはいくつかのサンプリングチャンバー２３ｏ３’ならびに対応するオリフィス２１ｏ３’、２２ｏ３’およびダクトｃｅ３’、ｃｓ３’を使用することを可能にする。
【００９９】
二つの並列の分注状態Ｅｄ１’、Ｅｄ２’の存在は、例えば第一の分注の間に実行される分析が補充される必要がある場合に使用され得る、予備アリコートと呼ばれるアリコートを形成することができるという注目すべきメリットを提供する。第二の一連の分析は、その後、第二の抽出を必要とすることなく実行され得る。
【０１００】
図７の態様は、はっきり異なる機能的な四つの状態：（１）一次的なサンプル抽出状態Ｅｐ１’’または一次的なすすぎを行う状態Ｅｒ１’’、（２）二次的なサンプル抽出状態Ｅｐ２’’または二次的なすすぎを行う状態Ｅｒ２’’、（３）一次的な分注状態Ｅｄ１’’、および（４）二次的な分注状態Ｅｄ２’’を有する。
【０１０１】
この態様は、説明されたばかりの二つの態様に類似するいくつかの原理に基づく。特に、それは、先の態様の分注状態Ｅｄ１’、Ｅｄ２’を参照し得る、二つの分注状態Ｅｄ１’’、Ｅｄ２’’を提供する。
【０１０２】
一次的なサンプル抽出状態Ｅｐ１’’または一次的なすすぎを行う状態Ｅｒ１’’と二次的な分注状態Ｅｄ２’’との組み合わせは、先の態様に類似する態様に関連する。
【０１０３】
この態様の一つの特有の機能は、第一のサンプル抽出状態Ｅｐ１’’またはすすぎを行う状態Ｅｒ１’’と並列の、第二のサンプル抽出状態Ｅｐ２’’またはすすぎを行う状態Ｅｒ２’’の存在と関係がある。一次的なサンプル抽出状態Ｅｐ１’’におけるサンプルの抽出、ダクトｃｅ１’’、ｃｓ１’’を介するループｂ１’’およびオリフィス２１ｏ１’’、２２ｏ１’’、２３ｏ１’’の充填、ならびに分注の後、一つの回転部品２１は、ループｂ２’’およびオリフィス２１ｏ２’’、２２ｏ２’’、２３ｏ２’’がダクトｃｅ２’’、ｃｓ２’’を介して充填されるのを可能にするために、バルブを二次的なサンプル抽出状態Ｅｐ２’’に設定するべく動く。
【０１０４】
図７に描かれるように、一つまたはいくつかのループｂ１’’、ｂ２’’および一つまたはいくつかのオリフィス２３ｏ１’’、２３ｏ２’’は、二つのサンプル抽出状態Ｅｐ１’’、Ｅｐ２’’の間で異なる。したがって、すすぎは典型的には、一次的なサンプル抽出状態Ｅｐ１’’でなされる第一の抽出と二次的なサンプル抽出状態Ｅｐ２’’でなされる第二の抽出との間の、一次的なすすぎを行う状態Ｅｒ１’’において実行されるであろう。
【０１０５】
一次的な分注状態Ｅｄ１’’において、サンプリングループｂ３’’および／またはサンプリングチャンバーにおいて調整されたアリコートは、先の態様と同じ方法で、試薬とともに分注される。
【０１０６】
さらに、二次的な分注状態Ｅｄ２’’は、二次的なサンプル抽出状態Ｅｐ２’’において抽出されるアリコートを用いて、新しい一連の分析を行うことを可能にする。
【０１０７】
このように、サンプリングバルブ１は、二つの外部部品２１、２２と、前記外部部品２１、２２の間にクランプされる内部部品２３と、回転軸Ａの周りの前記部品２１、２２、２３の相対角度位置を調節する手段３とを有し、前記内部部品２３は、前記外部部品２１、２２の隣接面２１１、２２１を、液密でありかつスライドする態様にて支持する対向面２３１、２３２を有し、前記外部部品２１、２２は、オリフィス２１３と、ループ２１９、２２９と、ダクト２１８、２２８とを有し、前記ループ２１９、２２９および前記ダクト２１８、２２８は、前記内部部品２３を通るオリフィス２３３と選択的に連通するように構成されている。前記部品２１、２２、２３のうちの二つである２１、２２は、前記部品２１、２２、２３のうちの固定された一つである２３に対して、前記回転軸Ａの周りを回転することができる。
【０１０８】
オリフィス間の距離は、全てのオリフィス２１３、２２３、２３３について、特定の部品２１、２２、２３上のこれらオリフィス２１３、２２３、２３３のうちの二つの輪郭の間の最小距離として規定される。
【０１０９】
一つの有利な構成によれば、特定の部品２１、２２、２３のオリフィス２１３、２２３、２３３は、少なくともオリフィス間の距離だけ（部品２１、２２、２３の対向面または隣接面上で）間隔を置いて位置している。
【０１１０】
特定の部品２１、２２、２３のそれぞれのオリフィス２１３、２２３、２３３の輪郭は、少なくとも一つのオリフィス−縁部の距離によりなされる部品２１、２２、２３の縁部から（部品２１、２２、２３の対向面または隣接面上で）間隔を置いて位置している。
【０１１１】
シール距離「ｄ」は、オリフィス間の距離が好ましくは、このシール距離の二倍より長く、かつ、オリフィス−縁部の距離が好ましくは、このシール距離より長くなるように規定される（図８を参照されたい）。シール距離は、分離されるオリフィスの周長（または直径）、およびそれが含む流体によりこのオリフィスにかかる圧力により決定される。このシール距離は好ましくは、２ｍｍより長く、好ましくは２．４ｍｍより長い。シール距離のこれらの数値範囲は、約１．５バールのバルブ流圧かつ０．５ｍｍより小さいオリフィスの直径について、バルブの良好な密封をとりわけ確実にする。
【０１１２】
シール距離「ｄ」は、図８において、架空の円ＣＦの直径により描かれる。図８は、内部部品２３の部分図であり、該内部部品上には、二つのオリフィス２３３ａ、２３３ｂが描かれる。三つの架空の円ＣＦは、これらのオリフィス２３３ａ、２３３ｂに関して接線方向に配置され、前記オリフィス間の距離および前記オリフィス−縁部の距離（部品２３のこの縁部は、参照記号２３７を有する）が、シール距離より、すなわち架空の円ＣＦの直径より、長いことを示す。
【０１１３】
そのような機能は、それぞれのダクトが、例えばサンプル抽出位置から分注位置への、回転部品２１、２２の位置の変更の間、分離され得ることを意味する。したがって、シール距離は、回転部品２１、２２の特定の位置にある状態と、これらの回転部品２１、２２が回転している間の両方において、液体の漏れを回避することを可能にする。
【０１１４】
本発明のバルブの一つの重要なメリットは、溝または空洞（またはアリコートを送り返すシケイン）を作成することなしに、正常動作を確実にすることを可能にすることである。空洞の存在は、そのような空洞が、上述の状態のそれぞれで洗浄される必要があることを意味する。一方、空洞の不存在は、すすぎが、これらの状態のただ一つでのみ実行され得、そのことにより流体回路の単純化を可能にすることを意味する。すすぎは、サンプル抽出状態に対応するバルブの部品の位置で実行され得る。
【０１１５】
本発明のバルブはまた、すすぎが、徹底的に、最も腐食性でない試薬から最も腐食性の試薬へ正しい順序で、実行されることを可能にする。
【図１】
0006463380.tif 000002
【図２】
0006463380.tif 000003
【図３】
0006463380.tif 000004
【図４】
0006463380.tif 000005
【図５】
0006463380.tif 000006
【図６】
0006463380.tif 000007
【図７】
0006463380.tif 000008
【図８】
0006463380.tif 000009